(57)【要約】      （修正有）【課題】側面にスポンサー広告や適宜のメッセージを表示し、かつ握り易く成形することができるプラスチック製割ばしを提供する。【解決手段】上部で連結した一膳のプラスチック製割りばし１１であって、該一膳のプラスチック製割りばし１１は前記連結位置の細幅の薄板状の連結片１２によって、切離し可能に連結されている。すなわち、前記一膳のプラスチック製割ばし１１の本体部分を手で開くようにすれば、前記連結片１２で簡単に分断されて切離される。一方、前記連結片１２から位置をずらして形成した握り部分１３の各面には、各種のロゴやマーク類からなる字入れ部１４を形成するとともに、該字入れ部１４は凹凸を有するように形成されている。この字入れ部１４の凹凸によって、一膳のプラスチック製割ばし１１は滑りにくくなって持ちやすく、したがって食事等の際に取り扱いやすいものとなる。【選択図】図１
0003168160.tif 000002
【実用新案登録請求の範囲】
【請求項１】
上部で連結した一膳のプラスチック製割りばしであって、該プラスチック製割りばしの前記連結位置から外れた握り部分の各面に、各種のロゴやマーク類からなる字入れ部を形成するとともに、該字入れ部が凹凸を有するように形成したことを特徴とするプラスチック製割りばし。
【請求項２】
前記各種のロゴやマーク類からなる字入れ部が、前記プラスチック製割りばしの各面に統一したサイズで形成され、字入れ部用の型を取り替えることにより、各種のロゴやマーク類からなる字入れ部を小ロットで成形できるようにしたことを特徴とする請求項1記載のプラスチック製割りばし。
【考案の詳細な説明】
【技術分野】
【０００１】この考案は、その側面を適宜スポンサー広告付きとし、かつ効率的にスポンサー広告を形成するようにして割ばしそのもののコストを大幅に低減するとともに、割ばしとしての機能をも向上させたプラスッチック製割りばしに関する。
【背景技術】
【０００２】従来、割ばしの側面に表示部分を備えた割ばしとしては次のようなものが知られている。１）  側面に装飾を施したもの例えば、実開昭４９−３７２７６号公報（特許文献１参照）には模様を印刷した樹脂フィルム筒をはめて熱収縮させたものが記載されている。【０００３】２）  割ばしの連結部分の内側にメッセージ等を施したもの実用新案登録第３０３５４４９号公報（特許文献２参照）実用新案登録第３０３１９８６号公報（特許文献３参照）実開昭６２−１４５５６３号公報（特許文献４参照）実開昭５５−１２５１８０号公報（特許文献５参照）【０００４】３）  割ばしの側面にメッセージ等を施したもの実用新案登録第３０４２０９４号公報（特許文献６参照）実用新案登録第３１５８６１８号公報（特許文献７参照）
【先行技術文献】
【特許文献】
【０００５】
【特許文献１】実開昭４９−３７２７６号公報
【特許文献２】実用新案登録第３０３５４４９号公報
【特許文献３】実用新案登録第３０３１９８６号公報
【特許文献４】実開昭６２−１４５５６３号公報
【特許文献５】実開昭５５−１２５１８０号公報
【特許文献６】実用新案登録第３０４２０９４号公報
【特許文献７】実用新案登録第３１５８６１８号公報
【考案の開示】
【考案が解決しようとする課題】
【０００６】しかしながら、割ばしそのもののコストを大幅に低減し、環境保全の面で問題のある木製の割ばしにコスト面で対抗することができるプラスッチック製割りばしは、従来存在しなかった。【０００７】他方、その側面に適宜メッセージ等を表示して付加価値をつけた割ばしも提案されているが、その効果も限定的である。いずれにしても従来の考案では、コスト面等においてプラスチック製割ばしを木製の割ばしに置き換えるまでには至っていなかった。【０００８】この考案は、上記従来の技術の問題を解決するものであり、その側面を適宜スポンサー広告付きとし、かつ効率的にスポンサー広告を形成するようにして割ばしそのもののコストを大幅に低減するとともに、割ばしとしての機能をも向上させたプラスッチック製割りばしを提供することを目的とする。
【課題を解決するための手段】
【０００９】すなわち、上記課題を解決するためになされたこの考案のプラスチック製割りばしは、上部で連結した一膳のプラスチック製割りばしであって、該プラスチック製割りばしの前記連結位置から外れた握り部分の各面に、各種のロゴやマーク類からなる字入れ部を形成するとともに、該字入れ部が凹凸を有するように形成したことを特徴とするものである。【００１０】この考案のプラスチック製割りばしは、前記各種のロゴやマーク類からなる字入れ部が、前記プラスチック製割りばしの各面に統一したサイズで形成され、字入れ部用の型を取り替えることにより、各種のロゴやマーク類からなる字入れ部を小ロットで成形できるようにしたことをも特徴とするものである。
【考案の効果】
【００１１】この考案は、その側面を適宜スポンサー広告付きとし、かつ射出成形によって効率的にスポンサー広告を形成するようにして割ばしそのもののコストを大幅に低減するとともに、射出成形に際して前記スポンサー広告の表示部分に凹凸を付して握りやすくすることにより、割ばしとしての機能をも大幅に向上させたプラスチック製割ばしを提供することができるようになった。
【図面の簡単な説明】
【００１２】
【図１】この考案の１実施例に係るプラスチック製割ばしを示し、（ａ）はその正面図、（ｂ）はその側面図である。
【図２】プラスチック製割ばしの要部を示す拡大斜視図である。
【考案を実施するための形態】
【００１３】以下、この考案のプラスチック製割ばしの実施の形態について、図面に基いて詳細に説明する。図１はこの考案の１実施例に係るプラスチック製割ばしを示し、（ａ）はその正面図、（ｂ）はその側面図、図２はプラスチック製割ばしの要部を示す拡大斜視図である。
【００１４】図１において、この考案のプラスチック製割ばしは、上部で連結した一膳のプラスチック製割りばし１１であって、該一膳のプラスチック製割りばし１１は前記連結位置の細幅の薄板状の連結片１２によって、切離し可能に連結されている。すなわち、前記一膳のプラスチック製割ばし１１の本体部分を手で開くようにすれば、前記連結片１２で簡単に分断されて切離されるのである。
【００１５】一方、前記連結片１２から位置をずらして形成した握り部分１３の各面には、各種のロゴやマーク類からなる字入れ部１４を形成するとともに、該字入れ部１４は凹凸を有するように形成されている。この字入れ部１４の凹凸によって、一膳のプラスチック製割ばし１１は滑りにくくなって非常に持ちやすく、したがって食事等の際に取り扱いやすいものとなるのである。
【００１６】前記した各種のロゴやマーク類からなる字入れ部１４は、前記プラスチック製割りばし１１の各面に統一したサイズで形成してあり、射出成形のための前記字入れ部（１４）用の型を取り替えるだけで、各種のロゴやマーク類からなる字入れ部１４を小ロットで成形できるようになっている。例えば、前記プラスチック製割りばし１１の各面に同一の、あるいは異なるロゴやマーク類からなる広告やメッセージを入れることにより、前記スポンサー広告を効率的に入れることができ、したがって、広告料収入によりプラスチック製割りばし１１を無料化したり、木製等の素材の異なる割ばしにもコスト的に充分対抗できるプラスチック製割りばし１１を提供することが可能となる。
【００１７】この考案のプラスチック製割ばし１１においては、その握り部分１３の各面には、各種のロゴやマーク類からなる字入れ部１４を、射出成形によってプラスチック製割ばし１１の本体と同時に形成しているので大量生産することができ、大幅なコストダウンを図ることができる。しかも、該字入れ部１４は凹凸を有するように形成されているが、この凹凸は各種のロゴやマーク類からなる字入れ部１４の射出成形用の成形型に形成されていて、字入れ部１４の射出成形の際に同時に成形されることとなるため、前記と同様にコストダウンを図ることができるのである。
【００１８】図１において２１は、前記プラスチック製割りばし１１の先端部分の周囲を取り巻くように、その長さ方向に沿って複数形成したリング状の滑り止めであり、前記プラスチック製割りばし１１で食物を挟む際に滑らないようにするためのものである。図では、この滑り止め２１として突条を採用しているが、凹溝であってもよいことはもちろんである。
【００１９】この考案によれば、その側面を適宜スポンサー広告付きとし、かつ射出成形によって効率的にスポンサー広告を形成するようにして割ばしそのもののコストを大幅に低減するとともに、射出成形に際して前記スポンサー広告の表示部分に凹凸を付して握りやすくすることにより、割ばしとしての機能をも大幅に向上させたプラスチック製割ばしを提供することが可能となった。
【産業上の利用可能性】
【００２０】なお、この考案は上記実施例に限られるものではなく、その要旨を逸脱しない範囲において種々の態様において実施することが可能であり、例えばプラスチック製のフォークやスプーン等への適用も可能である。
【符号の説明】
【００２１】１１  プラスチック製割ばし１２  連結片１３  握り部分１４  字入れ部２１  滑り止め
【図１】
0003168160.tif 000003
【図２】
0003168160.tif 000004